(57)【要約】【課題】ヒータの消費電力の減少が図れる温蔵ショーケースを提供する。【解決手段】商品が収容される陳列室１と、陳列室１内を暖める加温用ヒータ４と、加温用ヒータ４の温度を設定する設定スイッチ部１８と、設定スイッチ部１８で設定された温度に加温用ヒータ４を制御する制御部２６と、陳列室１内に配置される照明装置３と、照明装置３の点灯と消灯とを切り換える照明スイッチ１５とを備えている。設定スイッチ部１８は、照明装置３が点灯しているときの加温用ヒータ４の設定温度として第１設定温度を設定可能になっている。制御部２６は、照明スイッチ１５の操作で照明装置３が消灯した場合に、加温用ヒータ４の設定温度を第１設定温度よりも低い第２設定温度に低下させる。【選択図】        図１
2005013516.tif 000002
【特許請求の範囲】
【請求項１】
商品が収容される陳列室１と、この陳列室１内を暖めるヒータ４と、このヒータ４の温度を設定する温度設定手段１８と、この温度設定手段１８で設定された温度に前記ヒータ４を制御する制御手段２６と、前記陳列室１内に配置される照明装置３と、この照明装置３の点灯と消灯とを切り換える照明スイッチ１５とを備えた温蔵ショーケースにおいて、
前記温度設定手段１８は、前記照明装置３が点灯しているときの前記ヒータ４の設定温度として第１設定温度を設定可能になっており、
前記制御手段２６は、前記照明装置３が消灯した場合に、前記ヒータ４の設定温度を前記第１設定温度よりも低い第２設定温度に低下させることを特徴とする温蔵ショーケース。
【請求項２】
前記第２設定温度に低下させる時間を設定する時間設定手段１８を備えており、
前記制御手段２６は、前記設定された時間内のときには前記ヒータ４が前記第２設定温度になるように制御するとともに、前記設定された時間以外では前記ヒータ４が前記第１設定温度になるように制御する請求項１記載の温蔵ショーケース。
【請求項３】
陳列室１内には複数の陳列棚２が配置されており、
各陳列棚２にヒータ４がそれぞれ配置されており、
前記温度設定手段１８が、各ヒータ４毎に温度を設定可能になっており、
前記制御手段２６は、各ヒータ４毎に温度を制御する請求項１又は２記載の温蔵ショーケース。
【発明の詳細な説明】
【０００１】
【発明の属する技術分野】
本発明は、スーパーマーケットやコンビニエンスストアーなどに設置される温蔵ショーケースに関する。
【０００２】
【従来の技術】
特許文献１・２には、陳列室内をヒータなどで暖めて商品を温蔵する温蔵ショーケースが開示されている。特許文献３〜６には、営業時間外に陳列室内の照明装置を消灯するのに応じて、陳列室内の冷却温度の設定値を高くして省電力化を図る冷蔵ショーケースが開示されている。
【０００３】
【特許文献１】
特開平９−２１０５４５号公報（段落番号００１４−００２１、図１）
【特許文献２】
特開平１１−２４８６号公報（段落番号００１１−００１６、図１）
【特許文献３】
特開昭５８−４９１９３号公報（第３−４頁、第２図）
【特許文献４】
特開昭６１−１９１８５２号公報（第２頁、第３図）
【特許文献５】
特開平５−８７４３０号公報（段落番号００１０−００１３、図１）
【特許文献６】
特開平７−１１０１８５号公報（段落番号００１４−００２３、図３）
【０００４】
【発明が解決しようとする課題】
温蔵ショーケースにおいても省電力化を図る必要がある。この場合、ヒータをオン・オフ操作するスイッチを設けて、営業時間外は前記スイッチでヒータをオフすることが考えられる。しかし、そのスイッチ操作を忘れると、省電力化は図れない。
【０００５】
そこで本発明の目的は、ヒータの消費電力を減少させることができて、商品維持費の低減化が図れる温蔵ショーケースを得ることにある。
【０００６】
【課題を解決するための手段】
本発明の温蔵ショーケースは、図１、図３、図４に示すごとく商品が収容される陳列室１と、陳列室１内を暖めるヒータ４と、ヒータ４の温度を設定する温度設定手段１８と、温度設定手段１８で設定された温度にヒータ４を制御する制御手段２６と、陳列室１内に配置される照明装置３と、照明装置３の点灯と消灯とを切り換える照明スイッチ１５とを備えている。その温度設定手段１８は、照明装置３が点灯しているときのヒータ４の設定温度として第１設定温度を設定可能になっており、制御手段２６は、照明装置３が消灯した場合に、ヒータ４の設定温度を第１設定温度よりも低い第２設定温度に低下させることを特徴とする。
【０００７】
ここでのヒータ４は、陳列室１内を暖めるものであればよく、電熱ヒータや温風発生器などが該当する。温度設定手段１８は、スイッチなどで設定温度を変更できるものや、固定した設定温度を記憶しているものなどが該当する。第２設定温度は常温であってもよい。この場合、ヒータ４はオフになる。
【０００８】
第２設定温度に低下させる時間を設定する時間設定手段１８を備えており、制御手段２６は、前記設定された時間内のときにはヒータ４が第２設定温度になるように制御するとともに、前記設定された時間以外ではヒータ４が第１設定温度になるように制御することができる。
【０００９】
時間設定手段１８は、スイッチなどで設定時間を変更できるものや、固定した設定時間を記憶しているものなどが該当する。時間設定手段１８と前記温度設定手段１８とは、同一のスイッチを用いて構成することができる。前記設定時間は、営業終了から営業開始までの営業外時間に一致する場合と、前記営業外時間よりも短い場合とが含まれる。
【００１０】
前記陳列室１内には複数の陳列棚２が配置されており、各陳列棚２に前記ヒータ４がそれぞれ配置されており、温度設定手段１８が、各ヒータ４毎に温度を設定可能になっており、制御手段２６は、各ヒータ４毎に温度を制御するようになっているものとすることができる。
【００１１】
【発明の作用効果】
本発明によれば、営業終了後に照明装置３を消灯した場合、この消灯に連動してヒータ４の温度が低下するように制御されるので、商品を高い温度で暖めておく必要がない営業時間外では、ヒータ４の消費電力節約を図れる。従って、省エネルギーに貢献でき、商品維持費の低減化が図れる。
【００１２】
そのうえで、確認が容易な照明装置３を消灯するだけでよいため、ヒータ４の温度を低下させるための操作を要しない。この分だけ、手間の軽減と操作忘れの防止とを図れる。
【００１３】
照明装置３が消灯してから設定時間が経過すると、照明装置３が消灯状態であってもヒータ４が第１設定温度になるように制御するので、営業開始時刻には事前に商品を適温に暖めておくことでき、冷えた商品が客に提供されることを未然に防止できる。
【００１４】
複数の陳列棚２にヒータ４をそれぞれ配置して、ヒータ４毎に温度を制御すると、各陳列棚２に載置した商品の種類などに合わせて、各商品を最適な温度に暖めておくことができる。
【００１５】
【発明の実施の形態】
図１ないし図４は本発明に係る温蔵ショーケースを示しており、図１および図２に示すごとく、前面が開口する商品収容用の陳列室１と、この陳列室１の内部に配置した複数の陳列棚２とを含む。陳列棚２は、上下多段、かつ左右２列になっている。各陳列棚２には、缶コーヒーなどの商品が陳列される。陳列棚２の前端や陳列室１の天井面などには、蛍光灯などからなる照明装置３が左右に分かれて配置されており、これらの照明装置３によって陳列室１内が照明される。
【００１６】
陳列室１内は、商品を温蔵する温蔵モードと、商品を冷蔵する冷蔵モードとに切り換え可能である。つまり、各陳列棚２には、電熱ヒータなどからなる加温用ヒータ４がそれぞれ内蔵されており、各加温用ヒータ４で各陳列棚２をそれぞれ暖めて、当該陳列棚２上の商品を温蔵する（温蔵モード）。
【００１７】
陳列室１の周壁と温蔵ショーケースの外周壁５との間には、冷気を陳列室１内へ循環させて陳列室１内を冷却する（冷蔵モード）ための循環路６が設けられている。循環路６内において陳列室１の下側となる箇所には、送風ファン７および熱交換器８などが配置されている。陳列室１の上壁前部には、ハニカム構造の冷気吹出口１０を下向きに設けてあり、陳列室１の下側前部には、陳列室１内の冷気を循環路６内に吸い込むための冷気吸込口１１が設けられている。
【００１８】
熱交換器８で冷却された冷気が、循環路６を介して冷気吹出口１０から吹き出されることによって、陳列室１内が冷却されるとともに陳列室１の前面開口部にエアーカーテンが形成される。温蔵ショーケースの外周壁５は、断熱構造になっている。
【００１９】
温蔵ショーケースの前面であって陳列室１の上側には、左右一対の表示パネル１２・１２が配置される。各表示パネル１２には、図３に示すごとく、温蔵モード時での加温用ヒータ４の温度（ヒータ温度）や冷蔵モード時での陳列室１内の冷却温度を表示するセグメント表示部１３と、温蔵モードか冷蔵モードかを表示するＬＥＤ表示部１４と、押ボタン式の照明スイッチ１５とが含まれる。
【００２０】
左側の表示パネル１２の照明スイッチ１５が押される毎に、陳列室１の左側の照明装置３の点灯と消灯とが交互に切り換わり、右側の表示パネル１２の照明スイッチ１５が押される毎に、陳列室１の右側の照明装置３の点灯と消灯とが交互に切り換わる。
【００２１】
温蔵モード時において、左側の表示パネル１２のセグメント表示部１３には、左列の各陳列棚２のヒータ温度が順に表示され、右側の表示パネル１２のセグメント表示部１３には、右列の各陳列棚２のヒータ温度が順に表示される。冷蔵モード時には、左側の表示パネル１２のセグメント表示部１３に陳列室１内の冷却温度が表示される。セグメント表示部１３には、温度異常などの各種の警報なども表示される。
【００２２】
温蔵ショーケースの前面側であって陳列室１の下側には、左右一対の操作パネル１７・１７を配置してある。左右の操作パネル１７・１７の前側には、化粧パネルを配置してある。
【００２３】
各操作パネル１７には、図４に示すごとく、各陳列棚２のヒータ温度などを設定するための設定スイッチ部（温度設定手段・時間設定手段）１８と、設定温度などを表示するセグメント表示部１９と、温蔵モードか冷蔵モードかを表示するＬＥＤ表示部２０とを含む。更に、左側の操作パネル１７には、温蔵モードと冷蔵モードとに切り換えるための押ボタン式のモード切換スイッチ２１が含まれる。セグメント表示部１９には、温度異常などの各種の警報なども表示される。
【００２４】
設定スイッチ部１８には、ヒータ温度などの設定対象を選択するための押ボタン式の選択スイッチ２３と、ヒータ温度などの設定値をセットするための押ボタン式のセットスイッチ２４・２５とが含まれる。温蔵モードにおいて、左側の操作パネル１７の設定スイッチ部１８は、左列の各陳列棚２のヒータ温度を順に設定できる。右側の操作パネル１７の設定スイッチ部１８は、右列の各陳列棚２のヒータ温度を順に設定できる。更に、左側の操作パネル１７の設定スイッチ部１８は、冷蔵モードでの陳列室１内の冷却温度を設定できる。
【００２５】
陳列室１の下側には、図１に示すごとく、制御部（制御手段）２６や冷凍機２７などが配置される。制御部２６は、表示パネル１２や操作パネル１７での操作などに応じて、冷凍機２７や送風ファン７や加温用ヒータ４などを制御する。冷凍機２７は、凝縮器や圧縮機を含み、前記熱交換器８に接続されている。
【００２６】
制御部２６は、温蔵モード時に照明装置３の点灯と消灯とで各陳列棚２の加温ヒータ４のヒータ温度を切り換えるよう制御し、設定スイッチ部１８で、前記点灯時の各陳列棚２のヒータ温度である第１設定温度と、前記消灯時のヒータ温度である第２設定温度とにそれぞれ設定できる。
【００２７】
設定スイッチ部１８は、加温ヒータ４毎に温度を設定可能になっている。制御部２６は、加温ヒータ４毎に温度を制御する。第２設定温度は、第１設定温度よりも低くなっており、例えば第１設定温度が６０℃に設定され、第２設定温度が４０℃に設定されている。
【００２８】
第１設定温度は、商品の種類などに応じて設定され、陳列棚２毎に異なる場合や、全ての陳列棚２を同一温度にする場合や、陳列棚２を複数のグループに分けて各グループ毎に温度を揃える場合がある。第２設定温度は、第１設定温度よりも低ければよく、例えば常温であってもよい。この場合の制御部２６は、各加温用ヒータ４をオフにする。第２設定温度が第１設定温度よりも低くなる分だけ、加温用ヒータ４の消費電力が減少する。
【００２９】
制御部２６は、照明装置３が点灯しているとき、各加温用ヒータ４が第１設定温度になるように制御し、営業終了時に照明装置３が消灯されると、各加温用ヒータ４が第２設定温度に低下するよう制御する。この後に、照明装置３が点灯すると、制御部２６は各加温用ヒータ４が再び第１設定温度になるように制御する。
【００３０】
設定スイッチ部１８は、前記ヒータ温度が第２設定温度に低下する時間（設定時間）を予め設定できるようになっており、制御部２６は、前記設定時間内のとき、各加温用ヒータ４が第２設定温度になるように制御し、前記設定時間が経過して設定時間外になると、照明装置３が消灯状態であっても各加温用ヒータ４が第１設定温度になるように制御する。
【００３１】
前記設定時間は、営業終了から営業開始までの営業外の時間に一致させてもよいが、営業開始時刻までに各加温用ヒータ４が第１設定温度になるように前記営業外の時間よりも短く設定してもよい。例えば、前記設定時間としては６時間に選択する。これにより、営業開始時刻には商品が適温に暖められ、冷えた商品が客に提供されることを防ぐ。なお、制御部２６は、前記設定時間内であっても照明装置３が点灯すると、各加温用ヒータ４が第１設定温度になるように制御する。
【００３２】
１個の照明スイッチ１５で、陳列室１の左右の照明装置３の点灯と消灯とを同時に切り換えるようにしてもよい。制御部２６は、第１設定温度が設定されたときに、この第１設定温度よりも所定温度だけ低い温度を第２設定温度として自動的に設定してもよい。この場合、第１設定温度を設定するだけでよいため、ヒータ温度の設定の手間が軽減される。
【００３３】
制御部２６は、冷蔵モード時に照明装置３の点灯と消灯とで陳列室１内の冷却温度を切り換えてもよい。この場合の制御部２６は、照明装置３の点灯時よりも消灯時の方が前記冷却温度が高くなるように、冷凍機などを制御する。制御部２６は、照明装置３が消灯してから予め設定された時間が経過すると、照明装置３が消灯状態であっても陳列室１内の冷却温度が低くなるように制御してもよい。冷蔵モードのための構成を省略して、陳列室１内の商品は温蔵するのみにしてもよい。
【図面の簡単な説明】
【図１】温蔵ショーケースの概略縦断側面図
【図２】温蔵ショーケースの正面図
【図３】表示パネルの正面図
【図４】操作パネルの正面図
【符号の説明】
１  陳列室
２  陳列棚
３  照明装置
４  加温用ヒータ
１５  照明スイッチ
１８  設定スイッチ部
２６  制御部
【図１】
2005013516.tif 000003
【図２】
2005013516.tif 000004
【図３】
2005013516.tif 000005
【図４】
2005013516.tif 000006